(57)【要約】      （修正有）【課題】車輌の識別度、質感と価値を向上させることができるフロントバンパーを提供する。【解決手段】車輌の前方に装着するフロントバンパーであって、バンパー本体２と、水箱シールド３と、二つの発光ユニット４とを備える。バンパー本体は、水箱シールドが取り付けられるための、かつ、空気流通するための冷却孔２１と、二つの空気入り口２２とを画定している。発光ユニットはバンパー本体に着脱可能に設けられている基板、及び一つのライトアセンブリ４２を含む。各基板がそれぞれ空気入り口の内周縁に対応する中空の取付部を有する。ライトアセンブリがそれぞれ取付部に取り付けられ、各空気入り口の内周縁に対応するサークルの光を投射できる。【選択図】図２
0003189622.tif 000002
【実用新案登録請求の範囲】
【請求項１】
車輌の前方に装着することに好適なフロントバンパーにおいて、
空気流通するための冷却孔、及び空気入り口を画定するバンパー本体と、
前記バンパー本体の冷却孔を被るように取り付けられる水箱シールドと、
前記バンパー本体に着脱可能に設けられている基板、及び少なくとも一つのライトアセンブリを有する発光ユニット、を備え、
前記基板は、前記空気入り口の内周縁に対応する中空の取付部を有し、
前記ライトアセンブリは、前記取付部に取り付けられ、前記空気入り口の内周縁に対応した環状の光を投射できる、フロントバンパー。
【請求項２】
フィルターネットをさらに備え、
前記フィルターネットの外周縁と前記基板の取付部とが連結している、請求項１に記載のフロントバンパー。
【請求項３】
前記発光ユニットのライトアセンブリが複数のLED電球を備える、請求項１または2に記載のフロントバンパー。
【請求項４】
車輌の前方に装着するに好適なフロントバンパーにおいて、
空気流通するための冷却孔、及び複数の空気入り口を画定するバンパー本体と、
前記バンパー本体の冷却孔を被るように取り付けられる水箱シールドと、
前記バンパー本体に着脱可能に設けられている基板、及び少なくとも一つのライトアセンブリをそれぞれ有する複数の発光ユニットと、を備え、
各前記基板は、それぞれ前記空気入り口の内周縁に対応する中空の取付部を備え、
各前記ライトアセンブリは、それぞれ前記取付部に取り付けられて、各前記空気入り口の内周縁に対応する形の光をそれぞれ投射できる、フロントバンパー。
【請求項５】
複数のフィルターネットをさらに備え、
各前記フィルターネットの外周縁は、各前記基板の取付部にそれぞれ連結されている、請求項4に記載のフロントバンパー。
【請求項６】
前記発光ユニット及び前記フィルターネットの数が二つである、請求項5に記載のフロントバンパー。
【請求項７】
前記発光ユニットの各前記ライトアセンブリがそれぞれ複数のLED電球を有する、請求項4〜6のいずれか一項に記載のフロントバンパー。
【考案の詳細な説明】
【技術分野】
【０００１】
本考案はバンパーに関し、特に車輌の前方に設けられているフロントバンパーに関する。
【背景技術】
【０００２】
図面1に示されているように、それは車輌に装着されている周知のフロントバンパーである。この周知のフロントバンパーはバンパー本体11及び冷却孔シールド12を含む。バンパー本体11は、中央に位置している冷却孔111と、冷却孔111の両側にそれぞれ位置している二つの空気入り口112とを画定している。冷却孔シールド12が冷却孔111に覆いかぶさる。これらの空気入り口112が風の抵抗を下げるために設けられたものである。しかし、こうした空気入り口112はどの設計も大同小異であり、識別度が良くない他に、車輌の質感と価値を向上させる機能もない。
【考案の概要】
【考案が解決しようとする課題】
【０００３】
そのため、本考案は、識別度がよく、車輌の質感と価値とを向上させることのできるフロントバンパーを提供することを目的とする。
【課題を解決するための手段】
【０００４】
本考案のフロントバンパーが、バンパー本体と、水箱シールドと、発光ユニットと、を有する。
【０００５】
上記バンパー本体は空気流通するための冷却孔と空気入り口とを画定する。上記水箱シールド（フロントグリルまたはラジエータグリルとも呼ぶ。）はこのバンパー本体の冷却孔を被るようにそれに取り付けられる。
【０００６】
上記発光ユニットはこのバンパー本体に着脱可能に設けられている基板と、少なくとも一つのライトアセンブリとを含む。該基板は空気入り口の内周縁に対応する中空の取付部を有する。該ライトアセンブリがこの取付部に取り付けられ、この空気入り口の内周縁を取り囲む光のサークルを投射できる。
【０００７】
本考案のフロントバンパーは、バンパー本体と、水箱シールドと、複数の発光ユニットと、を有してもよい。
【０００８】
この場合、バンパー本体は、空気流通するための冷却孔と、複数の空気入り口とを画定する。この水箱シールドは、バンパー本体の冷却孔を被るようにそれに取り付けられる。この発光ユニットは、このバンパー本体に着脱可能に設けられている基板と、少なくとも一つのライトアセンブリとをそれぞれ含む。これらの基板が夫々空気入り口の内周縁に対応する中空の取付部を有する。各ライトアセンブリが夫々各取付部に取り付けられ、各空気入り口の内周縁を取り囲む光のサークルを投射できる。
【考案の効果】
【０００９】
本考案は下記の効果を有する。発光ユニットが空気入り口の内周縁に設置され、空気入り口の内周縁の形状と対応する光形状を投射することにより、車輌の識別度を高めるとともに、車輌の質感と価値も向上させることができる。
【図面の簡単な説明】
【００１０】
本考案の他の特徴と利点は、以下の図面を参照する実施例でさらに明らかになる。
【図１】周知のフロントバンパーの正面図である。
【図２】本考案の好ましい実施例の正面図である。
【図３】本考案の好ましい実施例の空気入り口の拡大図である。
【図４】図2におけるIV-IV線の断面図である。
【考案を実施するための形態】
【００１１】
図2、図3及び図4に示されているように、本考案に係るフロントバンパーの好ましい実施例は、車輌の前方に装着されることに好適なものであり、バンパー本体2、水箱シールド3、二つの発光ユニット4、及び二つのフィルターネット5を含む。
【００１２】
バンパー本体2は、中心に位置している冷却孔21、及び冷却孔21の両側にそれぞれ位置している二つの空気入り口22を画定する。冷却孔21及びこれらの空気入り口22はいずれも前後からバンパー本体2を貫通する。また、これらの空気入り口22の数と位置は車輌の設計に応じて、異なる様態を有することができる。例えば、バンパー本体2に、冷却孔21の下方に位置する空気入り口22を一つしか設けない。したがって、実施上、本実施例に限らない。
【００１３】
水箱シールド3の形状は冷却孔21の形状と互いに合わせられており、冷却孔21の中に取り付けられている。また、水箱シールド3の構造は通常の従来技術の構造であるため、その詳しい説明を省略する。
【００１４】
各発光ユニット4が複数のネジ43を介して着脱可能にバンパー本体2の空気入り口22に設置されている。また、各発光ユニット4が基板41とライトアセンブリ42とを更に有する。基板41は対応の空気入り口22の後側に位置し、該空気入り口22の内周縁の内側へ突出して延伸する取付部411を含む。取付部411は空気入り口22の形状に合わせた中空の環状になっており、環状空間412をも画定している。ライトアセンブリ42が空気入り口22内に位置し、空気入り口22の内周縁に合わせた環状になっており、取付部411に取り付けられている。その他に、ライトアセンブリ42は互いに角度の間隔を置いて配列している複数のLED電球421を有する。これらのLED電球421が車輌と電気的に接続され、オンとオフになるようにコントロールされている。そして、各ライトアセンブリ42が対応の空気入り口22の内周縁の形に対応する光のサークルを投射することができる。また、それらのLED電球421は他の光源に変更することが可能であり、例えば、ライトガイドバーや普通の電球などに変更することも可能であり、この実施例に限定されるものではない。また、これらの発光ユニット4はそれぞれ自身が環状に形成されているライトアセンブリ42を含んでいるほか、環状に配列される複数のライトアセンブリ42を含んでもよい。
【００１５】
これらのフィルターネット5がそれぞれ取付部411により画定されている環状空間412の中に設けられている。且つ、これらのフィルターネット5の外周縁がそれぞれ各取付部411の内周縁と連結する。
【００１６】
また、本考案によるフロントバンパーのバンパー本体2で画定される空気入り口22の数が一つでもよい。そして、フロントバンパーに含まれている発光ユニット4及びフィルターネット5の数も一つになる。
【００１７】
上述のように、本考案のフロントバンパーが、各空気入り口22を介して対応の発光ユニット4を設置することにより、空気入り口22の内周縁の形状に合わせた環状の光を投射することができる。これにより、本考案は、車輌の識別度を高めるとともに車輌の質感と価値を向上させることもできる。それゆえ、本考案は目的を確実に達成することができる。
【００１８】
なお、上述の事項は本考案を実施するための好適な形態であるが、本考案は以上述べた事項に限定されるものではなく、すなわち、本実用新案登録請求の範囲及び明細書の内容に基づいてなされた等価な変化や修正は、本考案の請求の範囲に属する。
【符号の説明】
【００１９】
2  バンパー本体
21  冷却孔
22  空気入り口
3  水箱シールド
4  発光ユニット
41  基板
411  取付部
412  環状空間
42  ライトアセンブリ
421  LED電球
43  ネジ
5  フィルターネット
【図１】
0003189622.tif 000003
【図２】
0003189622.tif 000004
【図３】
0003189622.tif 000005
【図４】
0003189622.tif 000006